(57)【特許請求の範囲】
【請求項１】
携帯型器具の外壁に舌片状のクリップを設け、このクリップの押さえ部と外壁との間で衣類等の挟着物を挟むことにより携帯型器具を衣類等の挟着物に固定するようにした携帯型器具のクリップ装置において、
クリップの押さえ部に穴を設け、
また携帯型器具の外壁に、上記クリップの押さえ部の穴に入り込む突起を設け、この突起のクリップの差し込み方向と直角方向の断面形状を、上記クリップの押さえ部の穴に入り込む両側面部分を穴の内側へ傾斜するテーパ状に形成し、また突起の平面形状のクリップ差し込み方向先端側を円弧状にし、さらに突起の周縁の角部を円弧状にした
ことを特徴とする携帯型器具のクリップ装置。
【請求項２】
クリップの根本部と先端部のそれぞれの携帯型器具の外壁からの高さを略同一にしたことを特徴とする請求項１記載の携帯型器具のクリップ装置。
【請求項３】
クリップの押さえ部の内側表面、この押さえ部の内側表面に対向する部分の外壁表面、突起の表面のいずれか、あるいはこれらの全てに滑り止めのための凹凸を形成したことを特徴とする請求項１，２のいずれか１項記載の携帯型器具のクリップ装置。
【発明の詳細な説明】
【０００１】
【発明の属する技術分野】
本発明は、使用する人の衣類等にクリップにて係止して携帯可能にした携帯型器具のクリップ装置に関するものである。
【０００２】
【従来の技術】
携帯型器具の例としてはファン式薬剤拡散装置や懐中電灯等がある。そしてこの種の携帯型器具、例えばファン式薬剤拡散装置の従来のクリップ装置は図５、図６に示すようになっていて、装置本体ａの外壁ｂに弾性変形可能にしたクリップｃが設けてある。このクリップｃは舌片状になっていて、これの基端部が装置本体の外壁ｂ側に設けた支持台ｅに挿入組立て等にて一体結合されている。そしてこのクリップｃの側面形状は、根本部が装置本体ａの外壁ｂから離間し、先端部から少し根本側部が外壁ｂに最も接近した押さえ部ｄとなり、先端部が円弧状になって外壁ｂより離間するように、はね上がった形状になっている。そして上記クリップｃを上衣のポケットの縁やウエストのベルト等に挿し込むことにより、このクリップｃと外壁ｂの押さえ部ｄの間に上記ポケットの縁やベルトが挟み込まれてこれらに携帯型器具が係止されるようになっている。
【０００３】
ところで、従来のこの種のクリップ装置にあっては図５、図６に示すように、クリップａの押さえ部ｄが対向する外壁ｂの表面が平面になっていた。
【０００４】
【発明が解決しようとする課題】
従来のクリップ装置では、上記したように、クリップｃの押さえ部ｄが対向する装置本体ａの外壁ｂの表面が平面であったため、クリップｃによる挟着力はクリップｃの押さえ部ｄと外壁ｂの隙間分だけとなり、押さえ部ｄと外壁ｂとの間の隙間をゼロにしても、挟着物がポケットの縁のように薄い場合には、挟着力が弱く、これを強固に挟着することができず、作業中にずれて脱落してしまうという不具合があった。
【０００５】
また、上記挟着物が厚手の衣類であったり、ベルトである場合は、これらを挟着したときのクリップｃの撓み変形が大きいことにより大きな挟着力が得られて、上記したような不具合がないが、クリップｃの押さえ点の相手側である外壁ｂの表面が平面であることにより、挟着物が滑りやすい材質である場合、挟着物がクリップｃから滑落してしまうという不具合があった。
【０００６】
なお、クリップｃの押さえ部ｄによる挟着力を大きくするために、押さえ部ｄが予め外壁ｂ面に所定の力にて接触するようにクリップｃを装置本体ａの支持台ｅに組み込むこともできるが、この場合クリップｃの装置本体ａに対する組み立て作業がやっかいであると共に、常時クリップｃの根本部に大きな力が作用することになり、強度上問題があった。
【０００７】
本発明は上記した従来の不具合を解消するためになされたもので、厚手と薄手のいずれの挟着物にも強固に挟着できる携帯型器具のクリップ装置を提供することを目的とするものである。
【０００８】
【課題を解決するための手段】
上記目的を達成するために、本発明に係る携帯型器具のクリップ装置は、携帯型器具の外壁に舌片状のクリップを設け、このクリップの押さえ部と外壁との間で衣類等の挟着物を挟むことにより携帯型器具を衣類等の挟着物に固定するようにした携帯型器具のクリップ装置において、クリップの押さえ部に穴を設け、また携帯型器具の外壁に、上記クリップの押さえ部の穴に入り込む突起を設け、この突起のクリップの差し込み方向と直角方向の断面形状を、上記クリップの押さえ部の穴に入り込む両側面部分を穴の内側へ傾斜するテーパ状に形成し、また突起の平面形状のクリップ差し込み方向先端側を円弧状にし、さらに突起の周縁の角部を円弧状にした構成になっている。
【０００９】
そして上記クリップ装置は、クリップの根本部と先端部のそれぞれの携帯型器具の外壁からの高さを略同一になっている。
【００１０】
また、上記各構成において、クリップの押さえ部の内側表面、この押さえ部の内側表面に対向する部分の外壁表面、突起の表面のいずれか、あるいはこれらの全てに滑り止めのための凹凸を形成した。
【００１１】
【作  用】
クリップが差し込まれた衣類等の挟着物はクリップの押さえ部と外壁に突設した突起により波形になって挟まれる。そしてクリップ装置を下側にして携帯型器具を置いたときに、これが水平に置かれる。また、挟着物に接触する部分に滑り止めのための凹凸があることにより、この挟着物はより強固に固着される。
【００１２】
【発明の実施の形態】
本発明の実施の形態を図１から図４に基づいて説明する。図中１は本発明装置を適用しようとする携帯型のファン式薬剤拡散装置であり、２は装置本体、３は電源収納体、４はこの電源収納体３に着脱可能に取り付けた薬剤容器である。そして電源収納体３は装置本体１に対して着脱可能に取り付けられている。３ａは装置本体２と電源収納体３との係合を解除する係合解除ボタンである。
【００１３】
そして装置本体２に設けたスイッチ５をスライドしてオンにすると、電源収納体３内に収納した電池により、装置本体２内に設けたファンが駆動され、このファンによる風が、薬剤容器４を通って吸い込まれ、装置本体２の側面に設けた排気口６より排出されるようになっている。この排気口６より排出される風には薬剤容器４内に収納した薬剤含浸体７から揮散された薬剤成分、例えば殺虫成分が含まれており、これにより周囲の虫、例えば蚊を駆除するようにしている。
【００１４】
このファン式薬剤拡散装置１の装置本体２の外壁２ａの背面にクリップ装置８が備えてある。このクリップ装置８は、基端部を装置本体２の外壁２ａに固着した弾性変形可能にしたクリップ９と、外壁２ａに突設されて、クリップ９に設けた穴１０に入り込む突起１１とからなっている。
【００１５】
クリップ９は舌片状になっていて、これの基端部が装置本体２の外壁２ａに設けた支持台１２に挿入組み込みにより一体結合されている。そしてこのクリップ９の側面形状は、根本部が外壁２ａから離間し先端から少し、根本側が外壁２ａに最も接近した押さえ部９ａとなっており、この押さえ部９ａより先端側が円弧状になって外壁２ａより離間するように、はね上がった形状になっている。
【００１６】
このクリップ９の押さえ部９ａに上記穴１０が設けてある。そしてこの穴１０に入り込む突起１１が外壁２ａに設けてある。この突起１１はクリップ９の押さえ部９ａに対向する部分に設けてあり、クリップ９の根本部と外壁２ａとの間には空間１３が構成されている。
また図１のＡ−Ａ線に沿う断面を示す図３に示すように、上記突起１１のクリップの差し込み方向と直角方向の断面形状が、上記クリップ９の穴１０に入り込む両側面部分が穴１０の内側へ傾斜するテーパ状に形成されており、また図２に示すように、上記突起１１の平面形成のクリップの差し込み方向の先端側が円弧状になっている。そしてさらに図３に示すように突起１１の周縁の角部が円弧状になっている。
【００１７】
クリップ９の一端を固着する支持台１２の外壁２ａからの高さと、クリップ９の先端部の外壁２ａからの高さは略同一の高さＨになっている。
【００１８】
上記構成において、クリップ装置８のクリップ９を上衣のポケットの縁に差し込むと、図３に示すように、このポケットの縁１４が、クリップ９と外壁２ａとの間に差し込まれる。このとき、ポケットの縁１４はクリップ９の穴１０の両側に位置する押さえ部９ａ，９ｂにて押さえられ、この両押さえ部９ａ，９ｂの間、すなわち、この押さえ部９ａ，９ｂから外れた位置で突起１１にて押し上げられ、これにより、上記ポケットの縁１４は波状に押さえられる。
【００１９】
従って、挟むものが上記したようにポケットの縁１４のように薄いものであっても、強固に固定される。また、厚手の衣類の場合には、これの厚さに応じてクリップ９が挟んで押し広げられ、上記薄手の衣類に比べて大きなばね圧がかかり、さらに強固に固定される。
【００２０】
また、クリップ９にて挟むものがウエストのベルトである場合には、このベルトがクリップ９の根本部で、外壁２ａとの間の空間１３内に入り込み脱落することなく固定される。
【００２１】
また、支持台１２の高さと、クリップ９の高さが略同一であることにより、クリップ９を衣類の間にスムーズに差し込むことができると共に、このクリップ９を下側にしてファン式薬剤拡散装置を台等に置いたときに、これを水平に置くことができる。
【００２２】
上記実施の形態において、クリップ９をくしの刃状にして互いに離間する押さえ部９ａを多数個設け、それぞれの押さえ部９ａの間に対向する複数の突起１１を装置本体２の外壁２ａ側に設けるようにしてもよい。
【００２３】
上記した実施の形態ではクリップ装置８をファン式薬剤拡散装置１に設けた例を示したが、これは図４に示すように懐中電灯１５の背面に設けてもよい。図中１６は電池を内装した装置本体、１７は装置本体１６の正面側に設けた投光部である。１８はこれを点滅するスイッチである。
【００２４】
上記した各実施の形態において、クリップ９の押さえ部９ａの内側表面、この押さえ部９ａが対向する部分の外壁２ａの表面、さらに突起１１の表面のいずれか、あるいはこれらの全てに、滑り止めのための凹凸を形成してもよい。この凹凸は複数凸条、あるいは多数の点状凸起等、滑り効果を有する凹凸形状であれば良い。
【００２５】
【発明の効果】
本発明によれば、クリップを衣類等の挟着物に差し込んだときに、この衣類等の挟着物が薄いものの場合にも、これがクリップの押さえ部と、この押さえ部の間に位置する携帯型器具の外壁から突出した突起とにより波状に挟持されて、携帯型器具はこの薄手の衣類等の挟着物に強固に固定される。また、この衣類等の挟着物が厚いものの場合でも、クリップはそれに応じて撓み、より一層大きな挟持力を出すことができる。そしてこの挟着物が薄手であっても厚手であっても、この挟着物に接触する部分に滑り止めのための凹凸を設けることにより、挟着物はより強固に固着することができる。
【００２６】
このように、衣類等の挟着物はクリップにより強固に挟着できることにより、クリップは、これの挟着力を増大させるために、これの押さえ部を装置本体の外壁に予め所定の力で接触させる必要がなく、クリップは自然状態で取り付けることができ、これの組み立てを容易に行うことができる。
【００２７】
さらに、挟着物がベルトのように固いものの場合には上記突起を越えクリップの根本部まで差し込むことにより支障なく挟持できると共に、これが突起１１で仕切られる空間内に入り込むことにより、抜け落ちることなく固定される。
【００２８】
さらに、クリップ装置を下側にして携帯型器具を置くことによりこの携帯型器具を水平状にして置くことができる。
【図面の簡単な説明】
【図１】本発明の実施の形態を示す一部破断面図である。
【図２】本発明の実施の形態を示す正面図である。
【図３】図１のＡ−Ａ線に沿う断面図である。
【図４】本発明の他の適用例を示す一部破断側面図である。
【図５】従来の装置を示す一部破断面図である。
【図６】従来の装置を示す正面図である。
【符号の説明】
１…ファン式薬剤拡散装置、２…装置本体、２ａ…外壁、３…電池収納体、３ａ…係合解除ボタン、４…薬剤容器、５…スイッチ、６…排気口、７…薬剤含浸体、８…クリップ装置、９…クリップ、９ａ…押さえ部、１０…穴、１１…突起、１２…支持台、１３…空間、１４…ポケットの縁、１５…懐中電灯、１６…装置本体、１７…投光部、１８…スイッチ。
【図１】
0004841040.tif 000002
【図２】
0004841040.tif 000003
【図３】
0004841040.tif 000004
【図４】
0004841040.tif 000005
【図５】
0004841040.tif 000006
【図６】
0004841040.tif 000007